(57)【要約】【課題】フォーマットが固定された出力モードとフォーマットが可変な出力モードを持つ外部装置よりデータを受信するに先だって出力フォーマットが可変なモードに切り替えることを可能にする。【解決手段】ＤＶＣ１０１は、出力対象データのデータ形式に応じた出力フォーマットで出力する可変モードと、所定の出力フォーマットのみで出力する固定モードを備えた外部装置と通信インターフェースを介して接続可能な通信装置において、インターフェースの接続確立を確認すると（２０１）、通信インターフェースを介して接続された前記外部装置のデータの出力モードを固定モードに設定するための出力モード制御コマンドをＤＶＣ１０１へ出力する（２０２）。その後、モード設定コマンドを出力した後に、ＤＶＣにデータを出力させるための出力指示コマンドを出力する（２０３）。【選択図】  図３
2006005492.tif 000002
【特許請求の範囲】
【請求項１】
出力対象データのデータ形式に応じた出力フォーマットで出力する第１出力モードと、所定の出力フォーマットのみで出力する第２出力モードを備えた外部装置と通信インターフェースを介して接続可能な通信装置であって、
前記通信インターフェースを介して接続された前記外部装置のデータの出力モードを前記第１もしくは第２出力モードのいずれかに設定するためのモード設定コマンドを該外部装置へ出力する第１出力手段と、
前記モード設定コマンドを出力した後に、前記外部装置にデータを出力させるための出力指示コマンドを出力する第２出力手段とを備えることを特徴とする通信装置。
【請求項２】
前記モード設定コマンドの出力に先立って、前記外部装置の出力モードを確認し、該出力モードの変更の要否を判断する判断手段を更に備え、
前記判断手段で出力モードの変更が不要と判断された場合は、前記第１出力手段による前記モード設定コマンドを出力させることなく、前記出力指示コマンドを出力させることを特徴とする請求項１に記載の通信装置。
【請求項３】
前記第１出力手段によるモード設定コマンドの出力に先立って、前記外部装置の動作を停止させる停止コマンドを発行する停止制御手段を更に備えることを特徴とする請求項１に記載の通信装置。
【請求項４】
前記第２出力手段による前記出力指示コマンドの出力に先立って、前記モード設定コマンドによって要求される出力モードに前記外部装置が設定されたか否かを確認する確認手段を更に備えることを特徴とする請求項１に記載の通信装置。
【請求項５】
前記確認手段で出力モードの設定に失敗したことが確認された場合、その旨を表示する表示手段を更に備えることを特徴とする請求項４に記載の通信装置。
【請求項６】
前記第１出力手段による前記モード設定コマンドの出力は、前記通信インターフェースの接続の確立時、或いは当該通信装置における所定のアプリケーションの起動時をトリガとすることを特徴とする請求項１に記載の通信装置。
【請求項７】
出力対象データのデータ形式に応じた出力フォーマットで出力する第１出力モードと、所定の出力フォーマットのみで出力する第２出力モードを備えた外部装置と通信インターフェースを介して接続可能な通信装置の制御方法であって、
前記通信インターフェースを介して接続された前記外部装置のデータの出力モードを前記第１もしくは第２出力モードのいずれかに設定するためのモード設定コマンドを該外部装置へ出力する第１出力工程と、
前記モード設定コマンドを出力した後に、前記外部装置にデータを出力させるための出力指示コマンドを出力する第２出力工程とを備えることを特徴とする制御方法。
【発明の詳細な説明】
【技術分野】
【０００１】
本発明は、通信装置及びその制御方法に関する。
【背景技術】
【０００２】
従来のデジタルビデオカメラにおいては、ＨＤ（High Definition）、ＳＤ（StandardDefinition）、ＳＤＬ（Standard Definition Long）等のように複数のビデオフォーマットによるデータの記録並びに再生ができるように構成されている（例えば、非特許文献１参照）。また現在、同一記録媒体上（例えば同一テープ上）に、異なる複数種類の圧縮方式に対応した圧縮フォーマット、例えばＤＶ（DigitalVideo）フォーマットやＭＰＥＧ−２の映像データを記録する方式が提案されている。この場合、例えばＳＤフォーマットの映像データ（ＳＤ映像データと称する）はＤＶ方式で、ＨＤフォーマットの映像データ（ＨＤ映像データと称する）はＭＰＥＧ−２方式で記録することが行われる（例えば、特許文献１を参照）。
【０００３】
これらの複数のフォーマットが記録されたテープを再生する場合について図１を用いて説明する。図１において、ＤＶＣ（デジタルビデオカメラ）１０１はＩＥＥＥ１３９４規格（非特許文献２、３を参照）に準拠した通信ケーブルであるＩＥＥＥ１３９４ケーブル１０２を介してＰＣ（パーソナルコンピュータ）１０３に接続されている。ここで、ＩＥＥＥ１３９４規格は、シリアルバスに関する規格である。また、図１１はＤＶＣ１０１に収められた磁気テープ１０５における映像データの記録状態を示す図である。図１１に示すようにＤＶ方式の映像データ１１０１、１１０３とＭＰＥＧ−２方式の映像データ１１０２が交互に記録されている。図１のようにＩＥＥＥ１３９４ケーブル１０２でＰＣ１０３に接続されたＤＶＣ１０１は、ＰＣ１０３上の編集アプリケーションからの各種の制御コマンドによって再生、停止等がコントロールされる（非特許文献４を参照）。
【０００４】
再生動作時において、ＤＶＣ１０１は、図１１のＤＶ方式の映像データ１１０１を再生しているときには再生されたＤＶ方式の映像データをＩＥＥＥ１３９４端子よりアイソクロナスデータとして出力する。また、ＭＰＥＧ−２方式の映像データ１１０２を再生しているときには、再生されたＭＰＥＧ−２フォーマットの映像データをＩＥＥＥ１３９４端子よりアイソクロナスデータとして出力する。ＰＣ１０３ではこのアイソクロナスデータをキャプチャし編集を行う。
【０００５】
このとき、ＰＣ１０３は、ＤＶＣ１０１において再生されている映像フォーマットが、ＤＶ方式かＭＰＥＧ−２方式かを“Output Plug Signal Format”のステータスコマンドを用いることによって知ることが可能である（非特許文献５を参照）。ここで、Plug（プラグ）とは、非特許文献６で規定されたプラグを示す。プラグには、入力プラグと出力プラグがあり、いずれも論理的に構成されたものである。入力プラグについては入力プラグコントロールレジスタ（ｉＰＣＲ）によって管理され、出力プラグについては出力プラグコントロールレジスタ（ｏＰＣＲ）によって管理される。なお、ｉＰＣＲ及びｏＰＣＲの詳細な説明については、非特許文献６に記載されているので省略する。上記の場合、OutputPlug Signal Formatのステータスコマンドを用いてＰＣ１０３がＤＶＣ１０１にその出力フォーマットを照会すると、ＤＶＣ１０１は再生出力しているデータの出力フォーマットが、例えばＤＶ方式であるのかＭＰＥＧ−２方式であるのかを、OutputPlug Signal Formatのコントロールコマンドにより応答する。
【０００６】
また、カメラ画像をキャプチャする場合は、Output Plug SignalFormatのコントロールコマンドでＤＶＣ１０１にＤＶまたはＭＰＥＧ−２のフォーマットをプラグから出力することを指定してキャプチャすることが可能である。
【０００７】
更に、ＤＶＣ１０１において、インターフェースから出力するフォーマットを任意のフォーマットに固定することが可能である。これは、例えばダビング等を行う場合に、フォーマットの混在したテープ１０５を再生した場合に、受信側の装置（ＰＣ１０３）で対応していないフォーマットのデータが出力されないようにするためである。この場合の磁気テープ１０５上のデータと出力されるデータの関係を図１２に示す。図１２において、（ａ）の磁気テープ１０５には、図１１で説明したようにＤＶ方式の映像データ１１０１、１１０３とＭＰＥＧ−２方式の映像データ１１０２が記録されている。これに対し、図１２の（ｂ）には、出力されるフォーマットをＤＶ方式に固定した場合のデータの出力状態が示されている。（ｂ）に示されるように、ＭＰＥＧ−２方式の映像データ１１０２が記録されている部分を再生しているときはデータが出力されない。この場合は受信側装置がＤＶ方式の映像データしか受けられない場合に出力をＤＶ方式に固定した例であるが、受信側装置がＭＰＥＧ−２しか受けられない場合に出力をＭＰＥＧ−２に固定することも可能である。
【非特許文献１】Specificationsof Consumer-Use Digital VCRs using 6.3mm magnetic tape
【非特許文献２】IEEE Std1394-1995, IEEE Standardfor a High Performance Serial Bus, Institute of Electrical and Electronics Engineers,Inc.
【非特許文献３】IEEE Std 1394a-2000, IEEE Standardfor a High Performance Serial Bus - Amendment 1, Institute of Electrical andElectronics Engineers, Inc.
【非特許文献４】AV/C Tape Recorder/Player SubunitSpecification, 1394 Trade Association
【非特許文献５】AV/C Digital Interface Command Set General Specification Version 4.1, 1394 Trade Association
【非特許文献６】IEC 61883-1, Consumer audio/video equipment - Digital interface - Part 1: General
【特許文献１】特開２００１−２７５０７６号公報
【発明の開示】
【発明が解決しようとする課題】
【０００８】
上記の構成において、ＤＶＣ１０１がＤＶ方式とＭＰＥＧ−２方式のいずれかの出力フォーマットに固定するモードに設定された状態でＰＣ１０３に接続され、ＰＣ１０３のアプリケーションはいずれの方式のデータにも対応可能であったとする。この場合、ＤＶＣ１０１はたまたま固定されていた出力フォーマットのデータしか送信しない。このため、ＰＣ１０３はいずれの出力フォーマットのデータも受信可能であるにもかかわらず、固定された出力フォーマット以外の映像データを受け取ることができなくなってしまう。
【０００９】
本発明は、上記の課題に鑑みてなされたものであり、出力フォーマットが固定された出力モードと、出力フォーマットが可変な出力モードを持つ外部装置よりデータを受信するに先だって、その外部装置を出力フォーマットが可変な出力モードへ切り替えることを可能とすることを目的とする。
【課題を解決するための手段】
【００１０】
上記の目的を達成するための本発明による通信装置は以下の構成を備える。すなわち、
出力対象データのデータ形式に応じた出力フォーマットで出力する第１出力モードと、所定の出力フォーマットのみで出力する第２出力モードを備えた外部装置と通信インターフェースを介して接続可能な通信装置であって、
前記通信インターフェースを介して接続された前記外部装置のデータの出力モードを前記第１もしくは第２出力モードのいずれかに設定するためのモード設定コマンドを該外部装置へ出力する第１出力手段と、
前記モード設定コマンドを出力した後に、前記外部装置にデータを出力させるための出力指示コマンドを出力する第２出力手段とを備える。
【００１１】
また、上記の目的を達成するための本発明の制御方法は、
出力対象データのデータ形式に応じた出力フォーマットで出力する第１出力モードと、所定の出力フォーマットのみで出力する第２出力モードを備えた外部装置と通信インターフェースを介して接続可能な制御方法であって、
前記通信インターフェースを介して接続された前記外部装置のデータの出力モードを前記第１もしくは第２出力モードのいずれかに設定するためのモード設定コマンドを該外部装置へ出力する第１出力工程と、
前記モード設定コマンドを出力した後に、前記外部装置にデータを出力させるための出力指示コマンドを出力する第２出力工程とを備える。
【発明の効果】
【００１２】
本発明によれば、フォーマットが固定された出力モードとフォーマットが可変な出力モードを持つ外部装置よりデータを受信するに先だって、フォーマット可変モードに切り替えることが可能になる。このため、例えばフォーマット固定出力モードに設定されたＤＶＣをＰＣに接続してデータを転送させる際に、ＰＣの制御によりＤＶＣの出力モードをフォーマット可変モードに切り替えることができ、ＰＣはデータを漏れなく受信することができる。
【発明を実施するための最良の形態】
【００１３】
以下、添付の図面を参照して本発明の好適な実施形態を説明する。
【００１４】
＜第１実施形態＞
図１は、第１実施形態に係る通信システムの構成例を示す図である。上述した様にＤＶＣ１０１はＩＥＥＥ１３９４ケーブル１０２を介してＰＣ１０３に接続されている。ＰＣ１０３ではＤＶＣ１０１からの映像データを取り込んで編集を行うアプリケーション１０４が動いている。磁気テープ１０５には、図１１に示すように、ＤＶ方式の映像データ１１０１、１１０３と、ＭＰＥＧ−２方式の映像データ１１０２が混在して記録されている。アプリケーション１０４は、ダイナミックに切り替わりながら同期伝送されてくる複数のフォーマットの映像データを受信して取り込み、編集等をすることができる。例えば、図４（ｂ）のようにＤＶ方式の映像データとＭＰＥＧ−２方式の映像データが交互に伝送されてきた場合に、これらを取り込み、再生、編集処理を実行することができる。なお、アプリケーション１０４はＰＣ１０３にインストールされ、実行される。
【００１５】
図２は、本実施形態に係る通信装置の一例であるＤＶＣ１０１の内部構成を示すブロック構成図である。本実施形態のＤＶＣ１０１は、撮像制御部５０１がデジタルカメラ部５０８を制御することで被写体の動画及び静止画の撮影を行う。デジタルカメラ部５０８は、ＣＣＤ、ＣＭＯＳセンサ等の撮像素子を有する。デジタルカメラ部５０８より取り込まれたデジタル画像は画像処理部５０５においてにおいて目的のデータフォーマットに変換され、記録制御部５０４によって着脱可能記録部５０９（本実施形態においては磁気テープ１０５）に記録される。また、上述した様に、ＤＶＣ１０１はＤＶ又はＭＰＥＧ−２の映像データを記録可能であることから、着脱可能記録部５０９には図１１で示したような両方式の映像データが混在した状態で記録することが可能である。記録時にＤＶ方式、ＭＰＥＧ−２方式のいずれの方式で記録するかは、表示部５１１にユーザによる設定を促すためのインターフェースを提示する。これにより、ユーザは所望の方式で映像データを記録させることができる。メイン制御部５０２は、ＤＶＣ１０１の動作を制御する。ＩＥＥＥ１３９４インターフェース５０７は、ＩＥＥＥ１３９４規格（非特許文献２、３を参照）に準拠したデジタルインターフェースである。ＤＩＦ（デジタルインターフェース）制御部５０６は、ＩＥＥＥ１３９４インターフェース５０７が有する全ての入出力プラグを制御する。内部メモリ５１０には、ＤＩＦ制御部５０６が管理する固定モード管理テーブルが記憶される。この固定モード管理テーブルには、ＩＥＥＥ１３９４インターフェース５０７が有する全ての入力プラグ及び全ての出力プラグがどのデータ形式に固定されているかを示すデータが格納される。
【００１６】
図３は、ＤＶＣ１０１とＰＣ１０３を接続した後の、ＩＥＥＥ１３９４インターフェース５０７でやりとりされる情報の一例を示す図であり、ＤＶＣ１０１の通信処理とアプリケーション１０４を搭載したＰＣ１０３の通信処理を表す。
【００１７】
２０１でＤＶＣ１０１とＰＣ１０３の間のＩＥＥＥ１３９４接続が確立すると、ＩＥＥＥ１３９４規格で定められた所定手順（不図示）によりデバイス情報が取得され、ＰＣ１０３はＤＶＣ１０１が接続されたことを認識する。そして、ＰＣ１０３のアプリケーション１０４は、ＤＶＣ１０３に向けて固定モード解除の出力モード制御コマンド２０２を発行する。ＤＶＣ１０１では、たとえ接続したときに出力フォーマットが固定モードに設定されていても、それを可変モードに切り替えることができる。そしてＰＣ１０３内のアプリケーション１０４から再生制御コマンド２０３が発行されると、ＤＶＣ１０１から再生された映像データ２０４〜２０６が送信される。
【００１８】
この例は、図１１に示す磁気テープ１０５が再生された場合であり、ＤＶ方式、ＭＰＥＧ−２方式、ＤＶ方式の映像データが順に送信される。媒体に記録されている状態と送信データの関係を図４に示す。図４（ａ）のように記録されている映像データが図４の（ｂ）の様に出力される。
【００１９】
次に、ＤＶＣ１０１の出力フォーマットを可変モードに変更させる上記制御コマンド２０４について説明する。図５は本実施形態に適用可能な制御コマンドの一例であるところの、OUTPUT PLUG SIGNAL MODEコマンドの構成を示す図である。このコマンドは、８ビット幅で３バイト構成となっており、Operand(1)に示すように、固定／可変に１ビット（第７ビット）、ＭＰＥＧ−２やＤＶなどのフォーマットを表すのに２ビット（第６、第５ビット）が割り当てられている。なお、これら２ビットを用いて４通りのフォーマットを表すことも可能である。Operand(0)はコードによって機能を変更することが可能なものである。
【００２０】
また、第７ビット（Lock）は出力モードを表し、０で可変モード、１で固定モードを表す。この可変モードとは上述した様に出力フォーマットを固定にしないことである。従って可変モード時には出力フォーマットを表す第６、第５ビット（Mpeg/DV）は意味を持たない。また固定モードとは、ＤＶあるいはＭＰＥＧ−２のどちらか一方に固定するものとする。もちろん、更に多数のフォーマットについて設定可能とし、複数のフォーマットのロックを指定することも可能である。
【００２１】
例えばＤＶＣ１０１から可変モードで出力させたい場合には、Operand(1)＝0x00のOUTPUTPLUG SIGNAL MODEコントロールコマンドを発行すればよい。なお、Lockのビットを“０”にした場合、フォーマットを表すビットは意味を持たない。従って本実施形態ではこれら２ビットを“００”にしているが、“０１”、“１０”、“１１”の如何なる数値が設定されても同様である。
【００２２】
なお、上記実施形態では、ＩＥＥＥ１３９４インターフェース５０７による接続の確立をトリガにしてＤＶＣ１０１を可変フォーマットにするコマンドを発行する例を述べたが、これに限られるものではない。例えば、ＩＥＥＥ１３９４インターフェース５０７による接続が確立された状態でＰＣ１０３のアプリケーション１０４を起動したタイミングをトリガとしてもよい。
【００２３】
以上のように、第１実施形態によれば、たとえＤＶＣ１０１が出力する画像フォーマットを固定にする出力モードを持っていたとしても、ＰＣ１０３のアプリケーション１０４はＤＶＣ１０１の出力モードを可変モードに変更して複数フォーマットの記録内容をそのまま取り込んで編集等に使うことができる。
【００２４】
＜第２実施形態＞
上述の第１実施形態では、所定のトリガにより出力モードを可変モードとするためのコマンドを発行した。すなわち、コマンドを発行する前にＤＶＣ１０１が固定モードになっているのか可変モードになっているのかについて確認をすることなく、可変モードにするための制御コマンドを発行する場合を述べた。第２実施形態では、出力モードを可変モードとするためのコマンドを発行する前に、その時点でＤＶＣ１０１に設定されている出力モードを確認する。
【００２５】
第２実施形態に係る通信システムの構成等は第１実施形態と同じであるので説明を省略する。
【００２６】
図６は、第２実施形態における、ＤＶＣ１０１とＰＣ１０３を接続した後の、ＩＥＥＥ１３９４インターフェース５０７でやりとりされる情報の一例を示す図である。それぞれの縦線は時間の流れを表す。
【００２７】
２０１でＤＶＣ１０１とＰＣ１０３の間のＩＥＥＥ１３９４接続が確立すると、ＩＥＥＥ１３９４規格で定められた所定手順（不図示）によりデバイス情報が取得され、ＰＣ１０３はＤＶＣ１０１が接続されたことを認識する。そして、ＰＣ１０３のアプリケーション１０４は、ＤＶＣ１０１に向けて固定モードになっているのか可変モードになっているのかを確認するための出力モード確認コマンド２１１を発行する。ＤＶＣ１０１からの応答（出力モード通知）２１２により、固定モードになっていると確認された場合には、出力フォーマットを可変に変更する必要があるので（２１３）、固定モードを解除するための出力モード制御コマンド２０２を発行する。そしてアプリケーションから再生制御コマンド２０３を発行する。以下第１実施形態と同様である。
【００２８】
また、確認コマンド４０９ａの応答４０９ｂにより、ＤＶＣ１０１が可変モードであると確認された場合は、出力モード制御コマンド２０２を発行せずに、直ちに再生コマンド２０３を発行することになる。
【００２９】
以上の第２実施形態に係る再生制御までのＰＣ１０３による処理を図７フローチャートに示す。ステップＳ６０１において、ＩＥＥＥ１３９４接続の確立、或いはアプリケーション１０４の起動処理等をトリガとして検出する。ステップＳ６０２では、出力モード確認コマンド（２１１）を発行する。ステップＳ６０３において、返信されてきた応答（出力モード通知２１２）に基づいて、出力モードが固定モードであるか可変モードであるかを判断する。固定モードであると判断された場合にはステップＳ６０３からステップＳ６０４へ進み、ＤＶＣ１０１を可変モードへ切り替えるべく、出力モード制御コマンドを送信する（２０２）。そしてステップＳ６０５にて再生制御コマンドを発行（２０３）する。このコマンドに応じて、ＤＶＣ１０１は映像データを出力する（２０４〜２０６）。一方、応答コマンドおいてＤＶＣ１０１の出力モードが可変モードであると判断された場合は、ステップＳ６０３からステップＳ６０５へスキップし、そのまま再生コマンド（２０３）が発行される。
【００３０】
＜第３実施形態＞
第３実施形態では、上述した第１実施形態や第２実施形態の動作に先だって、ＤＶＣ１０１に対して停止制御を行う。
【００３１】
図８は、第３実施形態における、ＤＶＣ１０１とＰＣ１０３を接続した後の、ＩＥＥＥ１３９４インターフェース５０７でやりとりされる情報の一例を示す図である。なお、図８では第１実施形態の処理に先立って停止制御を行う場合を示したが、第２実施形態の処理に先立って停止制御を行う構成も、以下の説明から当業者には明らかであろう。
【００３２】
２０１でＤＶＣ１０１とＰＣ１０３の間のＩＥＥＥ１３９４接続が確立すると、ＩＥＥＥ１３９４規格で定められた所定手順（不図示）によりデバイス情報が取得され、ＰＣ１０３はＤＶＣ１０１が接続されたことを認識する。そして、ＰＣ１０３のアプリケーション１０４は、まずＤＶＣ１０１に対して停止制御コマンドを発行し（２２１）、その後、出力モードを可変モードにする出力モード制御コマンドを発行する（２０２）。これ以降の手順は第１実施形態と同様である。また第２実施形態と同様に一旦固定モードになっているか可変モードになっているか確認するための確認コマンドを発行し、可変モードになっていないときだけ制御コマンドを発行するようにしてもよいことは上述した通りである。
【００３３】
＜第４実施形態＞
上記の各実施形態では、出力モードを可変モードにする出力モード制御コマンドを送ったことによりＤＶＣ１０１は可変モードに移行したものとして処理（映像データの送信）を開始した。すなわち、可変モードへの移行に関して確認を行うことなく映像データの送信を開始している。しかしながら、可変モードにするための制御が成功しない可能性もある。例えばＤＶＣ１０１の出力フォーマットの切り替えがメカスイッチ等でしか実行できない場合には、制御コマンドによる出力フォーマットの切り替えはできない。
【００３４】
そこで、第４実施形態では、制御コマンドによる可変モードへの移行が成功した否かを確認し、失敗した場合にはその旨を通知する構成を設ける。以下では第１実施形態の処理手順に確認処理を加えた場合を説明するが、上述の第２、第３実施形態の手順にも確認処理を加え得ることは明らかであろう。
【００３５】
図９は、第４実施形態における、ＤＶＣ１０１とＰＣ１０３を接続した後の、ＩＥＥＥ１３９４インターフェース５０７でやりとりされる情報の一例を示す図である。ＰＣ１０３は、出力モードの切り替えを要求するための出力モード制御コマンドを送った後（２０２）、ＤＶＣ１０１より出力モード設定通知を受信する（２３１）ことにより、出力フォーマットの設定が成功したか否かを確認する。出力フォーマットの設定が成功していたならば、再生コマンドにより再生を指示する（２０３）。
【００３６】
なお、上記では出力フォーマット設定通知を受信するものとしたが、出力モード制御コマンドを発行したＰＣ１０３が、ＤＶＣ１０１の出力モードを照会し、可変モードに切り替わったか否かを確認するようにしてもよい。この場合、例えば、上述のOUTPUT PLUG SIGNAL MODEをステータスコマンドとして用いることが考えられる。すなわち、全てのOperandに0xFFを代入したOUTPUTPLUG SIGNAL MODEステータスコマンドをＤＶＣ１０１に発行し、ＤＶＣ１０１から返信されるOUTPUT PLUG SIGNAL MODEコマンドにより出力モードを確認する。
【００３７】
図１０は第４実施形態に係る処理を説明するフローチャートである。ステップＳ９０１において、ＩＥＥＥ１３９４接続の確立、或いはアプリケーション１０４の起動処理等をトリガとして検出する。ステップＳ９０２では、ＤＶＣ１０１の出力モードを可変モードに変更するべく、OUTPUT PLUG SIGNAL MODEコマンドを発行する。引き続き、ＰＣ１０３は、ＤＶＣ１０１に対してOUTPUT PLUGSIGNAL MODEステータスコマンドを発行することによってＤＶＣ１０１の出力モードを確認する（ステップＳ９０３）。この確認の結果、可変モードへの移行に成功していれば、ステップＳ９０６へ進み、ＤＶＣ１０１に映像データの送信を開始させるべく再生指示を送信する。
【００３８】
一方、可変モードへの移行に失敗した場合は、ステップＳ９０４へ進み、そのことをＰＣ１０３のアプリケーション１０４のユーザに報知する。本例では、ＰＣ１０３のディスプレイ上に、“出力される画像フォーマットは固定になっています”等の表示を行う。また、本実施形態では、この画面において、更に映像データの送信を開始するか否かを問い合わせるボタンを設け、ユーザにより開始が指示された場合はステップＳ９０６へ進んで再生指示をＤＶＣ１０１へ送信する。これにより、ユーザは、出力フォーマットが固定モードの状態で映像データを送信させたり、ＤＶＣ１０１の出力フォーマットを例えばマニュアルで切り替えた後に映像データを送信させたりするといった対応が容易に行える。
【００３９】
また、ＤＶＣ１０１を切り替えスイッチによって出力モードを設定するように構成した場合には、ステップＳ９０４において、出力モードを可変モード側へ切り替えるよう表示してもよい。これは、接続先のＤＶＣ１０１がどの様な切り替えスイッチを有しているか、またどの切り替えスイッチを操作したらよいかを示す操作情報を機種毎に保持しておき、ＩＥＥＥ１３９４接続の確立時に取得したデバイス情報から識別された機種に対応する操作情報を取得し、これに基づいて表示を行うことで実現できる。
【００４０】
＜第５実施形態＞
ところでＤＶＣ１０１には明示的に出力画像フォーマット固定と可変の切り替えスイッチが付いている場合もあるが、他の機能の切り替えに１対１に対応して出力モードが切り替わる場合もある。例えばＤＶＣ１０１の中には主に撮影、記録又は再生を行う撮影記録再生モードと、主にＰＣ１０３に接続して楽しむＰＣ接続モードを切り替えるスイッチがついている場合がある。そして、この切り替え機能に連動して撮影記録再生モードのときには出力フォーマット固定になり、ＰＣ接続モードのときには出力フォーマット可変になるものがある。このようなＤＶＣ１０１に対応するために、上記ステップＳ９０４において、接続もしくは起動されたアプリケーション１０４がユーザにＤＶＣ１０１をＰＣ接続モードに変更させるメッセージを表示しても良い。このとき、ＤＶＣ１０１がＰＣ接続モードなのか撮影記録再生モードなのかを確認するコマンドを先に発行し、その応答に従って上記メッセージを表示させるようにしてもよい。
【００４１】
なお、ＩＥＥＥ１３９４接続の確立時において、取得したデバイス情報からコマンドによる出力モードの切り替えが可能な機種か否かを判定し、切り替えスイッチのみでしか出力モードの変更ができない機種である場合には、上記のようなスイッチ切り替えを案内するような表示を行うようにしてもよい。
【００４２】
なお、上記各実施形態では、出力モードを可変モードへ設定する場合を説明したが、出力モードを所望の出力フォーマットによる固定モードへ設定する場合にも本発明は適用可能である。
【図面の簡単な説明】
【００４３】
【図１】第１実施形態に係る通信システムの構成例を示す図である。
【図２】第１〜第６実施形態に係るＤＶＣ１０１の内部構成を示すブロック構成図である。
【図３】ＤＶＣ１０１とＰＣ１０３を接続した後の、ＩＥＥＥ１３９４インターフェースでやりとりされる情報の一例を示す図である。
【図４】可変モードにおいて、テープ上のデータと出力されるデータの関係を説明する図である。
【図５】第１〜第５実施形態に適用可能な制御コマンドの一例であるところの、OUTPUTPLUG SIGNAL MODEコマンドの構成を示す図である。
【図６】第２実施形態における、ＤＶＣ１０１とＰＣ１０３を接続した後の、ＩＥＥＥ１３９４インターフェースでやりとりされる情報の一例を示す図である。
【図７】第２実施形態に係る再生制御までのＰＣ１０３による処理を示すフローチャートである。
【図８】第３実施形態における、ＤＶＣ１０１とＰＣ１０３を接続した後の、ＩＥＥＥ１３９４インターフェースでやりとりされる情報の一例を示す図である。
【図９】第３実施形態における、ＤＶＣ１０１とＰＣ１０３を接続した後の、ＩＥＥＥ１３９４インターフェースでやりとりされる情報の一例を示す図である。
【図１０】第４実施形態に係る処理を説明するフローチャートである。
【図１１】テープ上の映像データの記録状態を説明する図である。
【図１２】テープ上のデータと出力されるデータの関係を示す図である。
【図１】
2006005492.tif 000003
【図２】
2006005492.tif 000004
【図３】
2006005492.tif 000005
【図４】
2006005492.tif 000006
【図５】
2006005492.tif 000007
【図６】
2006005492.tif 000008
【図７】
2006005492.tif 000009
【図８】
2006005492.tif 000010
【図９】
2006005492.tif 000011
【図１０】
2006005492.tif 000012
【図１１】
2006005492.tif 000013
【図１２】
2006005492.tif 000014